(57)【要約】      （修正有）【課題】あらかじめ機能要望が予測されそうなＤＰＳ規格での印刷機能の充実を図り、利用者の詳細な要求としてのカスタマイズ対応を簡略化した画像データ印刷システムを提供する。【解決手段】画像データ印刷システム１００は、ＤＰＳ規格に対応したＤＳＣ１と、このＤＳＣ１により撮像されたデジタル画像データに基づいて画像を印刷するプリンタ２と、両者を接続するＵＳＢインターフェース３と、を備えて構成され、このプリンタ２は、プリンタを制御するＣＰＵ１０と、制御プログラムを記憶するＲＯＭ１１と、ワークメモリとしてデータを記憶するＲＡＭ１２と、印刷設定条件等の情報や画像データ等を記憶する記憶装置１３と、外部のＬＡＮとの接続を制御するＬＡＮコントローラ１４と、プリンタの操作を制御するオペポート１５と、プリンタエンジン等の入出力装置１６と、ＤＳＣ１と接続するＵＳＢホスト１７と、トランス１８と、を備えて構成される。【選択図】図１
2006150914.tif 000002
【特許請求の範囲】
【請求項１】
ＤＰＳ規格に対応したデジタルスチルカメラと、該デジタルスチルカメラにより撮像されたデジタル画像データに基づいて画像を印刷する画像形成装置と、前記デジタルスチルカメラと画像形成装置間を接続するインターフェースと、を備えた画像データ印刷システムにおいて、
前記画像形成装置は、管理者のみが設定及び変更が可能であるＤＰＳ規格を用いた印刷設定条件を記憶する記憶装置と、前記印刷設定条件を選択する印刷設定条件選択手段と、を備え、
前記印刷設定条件選択手段により印刷時の印字フォーマットを事前に選択しておき、前記デジタルスチルカメラが前記インターフェースを介して接続された際には、前記印刷設定条件選択手段により設定された印字フォーマットを前記記憶装置に記憶された印刷設定条件から検索し、該検索した印字フォーマットに基づいて画像形成を行うことを特徴とする画像データ印刷システム。
【請求項２】
前記デジタルスチルカメラが前記インターフェースを介して接続された際には、前記印刷設定条件選択手段により設定された印刷オプションを前記記憶装置に記憶された印刷設定条件から検索し、該検索した印刷オプションに基づいて前記画像形成装置により画像形成を行うことを特徴とする請求項１に記載の画像データ印刷システム。
【請求項３】
予め前記デジタルスチルカメラの機器情報を前記記憶装置に記憶しておくことにより、前記デジタルスチルカメラが前記インターフェースを介して接続された際に、前記ＤＰＳ規格を用いての印刷が可能か否かを前記機器情報に基づいて判断可能としたことを特徴とする請求項１に記載の画像データ印刷システム。
【請求項４】
予め前記デジタルスチルカメラの機器情報を前記記憶装置に記憶しておくことにより、前記デジタルスチルカメラが前記インターフェースを介して接続された際に、前記ＤＰＳ規格を用いての印刷が可能か否かを前記印刷設定条件選択手段により設定された印字フォーマットまたは印刷オプションに基づいて判断可能としたことを特徴とする請求項１または２に記載の画像データ印刷システム。
【請求項５】
前記画像形成装置が請求項１乃至４に記載の機能を全て備えていた場合、前記デジタルスチルカメラの機種によらず前記機能への対応が可能であることを特徴とする請求項１乃至４の何れか一項に記載の画像データ印刷システム。
【発明の詳細な説明】
【技術分野】
【０００１】
本発明は、画像データ印刷システムに関し、さらに詳しくは、ＤＰＳ（Digital Photo Solution for imaging Devices）規格に対応したデジタルスチルカメラに記憶されたデジタル画像を印刷する画像形成装置において、画像形成装置側にＤＰＳ規格を用いた印刷設定条件を記憶する手段を設けて、デジタルスチルカメラの印刷条件に基づいた印刷を可能にする技術に関するものである。
【背景技術】
【０００２】
ＤＰＳ規格に対応したデジタルスチルカメラ（以下、ＤＳＣと記す）と画像形成装置を接続し、ＤＳＣからの操作でＤＰＳ規格を用いた印字を行う場合、印字に関する設定のうち、用紙サイズ、紙種、ファイル名印字、日付印字については指定が可能である。またＮ−ｕｐ機能（Ｎ枚の画像を１枚の画像に印刷する機能）については、ＤＰＳ規格ではオプション対応であるが、ＤＳＣが対応していない場合、画像形成装置で対応していても機能を利用することができなかった。即ち、従来技術の欠点として、以下のような点が挙げられる。
１）ＤＰＳ規格対応のＤＳＣからの印刷時は、フォーマット（画像出力位置、画像サイズの指定等）を詳細に指定はできない。そのためユーザが希望する設定での印字が不可能であった。
２）ＤＰＳ規格のＤＳＣからの印刷時は、ＤＳＣの機器毎に印刷動作のカスタマイズを行っていない。また、機器毎に印刷許容／禁止に対する制御も行っていないため、不正利用される虞がある。
３）ＤＰＳ規格を指定して印刷する時は、ステープル、パンチ機能、両面印刷等の印刷オプションの設定が利用できない。またＮ−ｕｐ機能については、ＤＰＳ規格ではオプション対応であるが、ＤＳＣでこの機能に対応していない場合、画像形成装置で対応していても機能を利用することができなかった。
【発明の開示】
【発明が解決しようとする課題】
【０００３】
本発明は、かかる課題に鑑み、ＤＳＣからの画像形成装置への画像印字の際、印刷フォーマット、印刷時のオプションを詳細に設定できることにより、あらかじめ機能要望が予測されそうなＤＰＳ規格での印刷機能の充実を図り、利用者の詳細な要求としてのカスタマイズ対応を簡略化した画像データ印刷システムを提供することを目的とする。
また、他の目的は、ＤＰＳ規格では対応しているが、ＤＳＣ側が対応していないような機能の場合でも、あらかじめ画像形成装置に設定しておくことで、それらの機能を利用することを可能とすることである。
また、他の目的は、ＤＳＣからの画像印字の際、ＤＳＣの機器情報を画像形成装置の記憶装置に記憶させ、ＤＳＣ機器毎に印刷動作に対する制御を変えることによって、セキュリティの向上、印字設定の簡略化を図ることである。
【課題を解決するための手段】
【０００４】
本発明はかかる課題を解決するために、請求項１は、ＤＰＳ規格に対応したデジタルスチルカメラと、該デジタルスチルカメラにより撮像されたデジタル画像データに基づいて画像を印刷する画像形成装置と、前記デジタルスチルカメラと画像形成装置間を接続するインターフェースと、を備えた画像データ印刷システムにおいて、前記画像形成装置は、管理者のみが設定及び変更が可能であるＤＰＳ規格を用いた印刷設定条件を記憶する記憶装置と、前記印刷設定条件を選択する印刷設定条件選択手段と、を備え、前記印刷設定条件選択手段により印刷時の印字フォーマットを事前に選択しておき、前記デジタルスチルカメラが前記インターフェースを介して接続された際には、前記印刷設定条件選択手段により設定された印字フォーマットを前記記憶装置に記憶された印刷設定条件から検索し、該検索した印字フォーマットに基づいて画像形成を行うことを特徴とする。
本発明は、ＤＰＳ規格を用いたデジタルスチルカメラからの印刷時に、あらかじめ記憶装置に登録しておいた印刷設定条件に従って写真印字を行うことが可能となる。そしてデジタルスチルカメラと画像形成装置が接続されると、記録した印刷設定条件に従って画像形成をおこなうものである。これにより、たとえば、カルテや履歴書のフォーマットを事前に作成しておくことで、デジタルスチルカメラで撮影した写真をそのまま特定フォーマットにあわせて印刷することが可能となる。このフォーマットを用いることによって多様化するニーズに容易に対応することができる。
請求項２は、前記デジタルスチルカメラが前記インターフェースを介して接続された際には、前記印刷設定条件選択手段により設定された印刷オプションを前記記憶装置に記憶された印刷設定条件から検索し、該検索した印刷オプションに基づいて前記画像形成装置により画像形成を行うことを特徴とする。
本発明は、ＤＰＳ規格を用いたデジタルスチルカメラからの印刷時に、あらかじめ登録しておいた印刷オプションに従って印刷可能である。たとえば、ＤＰＳ規格で対応していない、両面印刷、ステープル、パンチ処理などのオプション機能がデジタルスチルカメラからの印刷時に使用可能となる。また、ＤＰＳ規格でオプションとなっている機能(Ｎ-ｕｐ機能)の場合、機能に対応していないデジタルスチルカメラからの印字であっても機能を使用できる。これにより、通常、一旦ＰＣに画像データを転送しなければできなかった印刷機能をＰＣを介さずに利用することができる。
【０００５】
請求項３は、予め前記デジタルスチルカメラの機器情報を前記記憶装置に記憶しておくことにより、前記デジタルスチルカメラが前記インターフェースを介して接続された際に、前記ＤＰＳ規格を用いての印刷が可能か否かを前記機器情報に基づいて判断可能としたことを特徴とする。
本発明は、デジタルスチルカメラと画像形成装置が接続された場合、ＤＰＳ規格を用いたデジタルスチルカメラからの印刷時に機器に対する利用制限を行うことができる。これによって、許可していないデジタルスチルカメラからの印字の制限を行うことができ、画像形成装置の不正利用を制限することができる。
請求項４は、予め前記デジタルスチルカメラの機器情報を前記記憶装置に記憶しておくことにより、前記デジタルスチルカメラが前記インターフェースを介して接続された際に、前記ＤＰＳ規格を用いての印刷が可能か否かを前記印刷設定条件選択手段により設定された印字フォーマットまたは印刷オプションに基づいて判断可能としたことを特徴とする。
本発明は、予めデジタルスチルカメラの機器情報を記憶装置に記憶しておくことにより、ＤＰＳ規格を用いたデジタルスチルカメラからの印刷時に機器毎に印刷動作を変更することができる。これによって、デジタルスチルカメラ毎に異なった設定での印刷設定ができ、毎回設定を変更することなく各デジタルスチルカメラ利用者の設定を利用することができる。
請求項５は、前記画像形成装置が請求項１乃至４に記載の機能を全て備えていた場合、前記デジタルスチルカメラの機種によらず前記機能への対応が可能であることを特徴とする。
画像形成装置が請求項１乃至４に記載の機能を全て備えていた場合、デジタルスチルカメラがＤＰＳ規格対応していれば、規格のバージョンによらず請求項１乃至４に記載の機能を利用することができる。
【発明の効果】
【０００６】
請求項１の発明によれば、印刷設定条件選択手段により印刷時の印字フォーマットを事前に選択しておき、デジタルスチルカメラがインターフェースを介して接続された際には、印刷設定条件選択手段により設定された印字フォーマットを印刷設定条件から検索して印字フォーマットに基づいて画像形成を行うので、例えば、カルテや履歴書のフォーマットを事前に作成しておくことで、デジタルスチルカメラで撮影した写真をそのまま特定フォーマットにあわせて印刷することが可能となる。また、このフォーマットを用いることによって多様化するニーズに容易に対応することができる。
また請求項２では、デジタルスチルカメラがインターフェースを介して接続された際には、印刷設定条件選択手段により設定された印刷オプションを印刷設定条件から検索して、この印刷オプションに基づいて画像形成を行うので、たとえば、ＤＰＳ規格で対応していない、両面印刷、ステープル、パンチ処理などのオプション機能がデジタルスチルカメラからの印刷時に使用可能となる。また、ＤＰＳ規格でオプションとなっている機能(Ｎ-ｕｐ機能)の場合、機能に対応していないデジタルスチルカメラからの印字であっても機能を使用できる。これにより、通常、一旦ＰＣに画像データを転送しなければできなかった印刷機能をＰＣを介さずに利用することができる。
また請求項３では、予め前記デジタルスチルカメラの機器情報を記憶装置に記憶しておくので、デジタルスチルカメラがインターフェースを介して接続された際に、許可していないデジタルスチルカメラからの印字の制限を行うことができ、画像形成装置の不正利用を制限することができる。
また請求項４では、予め前記デジタルスチルカメラの機器情報を記憶装置に記憶しておき、ＤＰＳ規格を用いたデジタルスチルカメラからの印刷時に機器毎に印刷動作を変更するので、デジタルスチルカメラ毎に異なった設定での印刷設定ができ、毎回設定を変更することなく各デジタルスチルカメラ利用者の設定を利用することができる。
また請求項５では、画像形成装置が請求項１乃至４に記載の機能を全て備えていた場合、デジタルスチルカメラがＤＰＳ規格対応していれば、規格のバージョンによらず請求項１乃至４に記載の機能を利用することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明を実施するために必要な画像データ印刷システムの構成図である。この画像データ印刷システム１００は、ＤＰＳ規格に対応したＤＳＣ（デジタルスチルカメラ）１と、このＤＳＣ１により撮像されたデジタル画像データに基づいて画像を印刷するプリンタ（画像形成装置）２と、ＤＳＣ１とプリンタ２を接続するＵＳＢインターフェース３と、を備えて構成される。
図２はプリンタ２のハードウェア構成図である。このプリンタ２は、ＲＯＭ１１に記憶されたプログラムに基づいてプリンタを制御するＣＰＵ１０と、プリンタの制御プログラムを記憶するＲＯＭ１１と、ワークメモリとして一時的なデータを記憶するＲＡＭ１２と、印刷設定条件等の情報や画像データ等を記憶する記憶装置１３と、外部のＬＡＮとの接続を制御するＬＡＮコントローラ１４と、プリンタの操作を制御するオペポート１５と、プリンタエンジン等の入出力装置１６と、ＤＳＣ１と接続するＵＳＢホスト１７と、電圧を変換するトランス１８と、を備えて構成される。尚、本プリンタ２の動作は公知の動作であるので、説明を省略する。
【０００８】
図３に本発明を実施するために必要なソフトウェア構成例を示す図である。このソフトウェア構成は、プリントエンジンに対する印刷制御を行う印刷制御プログラム２０と、ＬＡＮとのネットワークを制御するネットワーク制御プログラム２１と、ＰｉｃｔＢｒｉｄｇｅ規格に対応したＤＳＣの制御を行うＰｉｃｔＢｒｉｄｇｅ制御プログラム２２と、ＵＳＢ対応のデバイスを制御するＵＳＢデバイスドライバ２３と、ＯＳの中核部分として、アプリケーションソフトや周辺機器の監視、ディスクやメモリなどの資源の管理、割りこみ処理、プロセス間の通信など、ＯＳとしての基本機能を提供するソフトウェアであるカーネル２４と、を備えて構成される。
図４は本発明を搭載する機器において、ＰｉｃｔＢｒｉｄｇｅ（ＤＳＣとプリンタ間のダイレクトコミュニケーションについての規格であり、この規格では、ＤＳＣとプリンタのメーカが異なる場合でもダイレクト印刷を可能にしている。）での印刷時のフォーマット設定を変更する際に表示される設定画面の例を示す図である。図４（ａ）の設定画面３０は、符号３１にＰｉｃｔＢｒｉｄｇｅ印刷設定であることを示す内容が表示され、カッコ内に図１２で選択した内容が設定される。この例では、図１２の「登録なし端末」４６が設定されている例である。そして印字フォーマットを変更するために、印字フォーマットの項目の「設定ボタン」３２を押すと、画面３０が図４（ｂ）のように変化して例えば印字フォーマットを履歴書３３に変更するのであればそこにカーソルを移動して「設定ボタン」３４を押すことにより設定される。
【０００９】
図５は本発明の第１の実施形態に係るフォーマット設定変更する際のフローチャートである。ＰｉｃｔＢｒｉｄｇｅ設定変更画面(図4)より、設定変更を行うメニューをユーザが入力することで（Ｓ１）、変更端末を選択し（Ｓ２）、さらに印字フォーマットを図４の画面から選択する（Ｓ３）。それによりフォーマット格納箇所よりフォーマット情報を収集して（Ｓ４）、その中にフォーマット情報が存在するか否かをチェックし（Ｓ５）、存在すればフォーマットファイル情報を出力情報に設定する（Ｓ６）。ステップＳ５で存在しなければフォーマットファイル未使用を出力情報に追加設定して（Ｓ７）、出力情報より選択画面を表示して（Ｓ８）、フォーマットファイルを選択、確定し（Ｓ９）、選択された情報を機器固有情報として記憶装置に記憶する（Ｓ１０）。尚、ステップＳ１〜Ｓ２の具体的な動作は後述する。
このように本実施形態は、ＤＰＳ規格を用いたＤＳＣ１からの印刷時に、あらかじめ記憶装置に登録しておいた印刷設定条件に従って写真印字を行うことが可能となる。そしてＤＳＣ１とプリンタ２が接続されると、記録した印刷設定条件に従って画像形成をおこなうものである。これにより、たとえば、カルテや履歴書のフォーマットを事前に作成しておくことで、ＤＳＣ１で撮影した写真をそのまま特定フォーマットにあわせて印刷することが可能となる。このフォーマットを用いることによって多様化するニーズに容易に対応することができる。
図６は本発明を搭載する機器において、ＰｉｃｔＢｒｉｄｇｅでの印刷時のフォーマット設定を変更する際に表示される設定画面の例を示す図である。図６（ａ）の設定画面３０は、符号３１にＰｉｃｔＢｒｉｄｇｅ印刷設定であることを示す内容が表示され、カッコ内に図１２で選択した内容が設定される。この例では、図１２の「登録なし端末」４６が設定されている例である。そして印字フォーマットを変更するために、ステープルの項目の「設定ボタン」３５を押すと、画面３０が図６（ｂ）のように変化して例えばステープルを「左上１箇所」３６に設定するのであれば、そこにカーソルを移動して「設定ボタン」３７を押すことにより設定される。
【００１０】
図７は本発明の第２の実施形態に係るフォーマット設定変更する際のフローチャートである。ＰｉｃｔＢｒｉｄｇｅ設定変更画面(図６)より、設定変更を行うメニューをユーザが入力することで（Ｓ１１）、変更端末を選択し（Ｓ１２）、さらにステープルを図６の画面から選択する（Ｓ１３）。それによりフォーマット格納箇所よりステープルの能力情報を収集して（Ｓ１４）、ステープルの能力情報を出力情報に設定する（Ｓ１５）。出力情報より選択画面を表示して（Ｓ１６）、ステープル設定の選択、確定し（Ｓ１７）、選択された情報を機器固有情報として記憶装置に記憶する（Ｓ１８）。
このように本実施形態は、ＤＰＳ規格を用いたＤＳＣ１からの印刷時に、あらかじめ登録しておいた印刷オプションに従って印刷可能である。たとえば、ＤＰＳ規格で対応していない、両面印刷、ステープル、パンチ処理などのオプション機能がデジタルスチルカメラからの印刷時に使用可能となる。また、ＤＰＳ規格でオプションとなっている機能(Ｎ-ｕｐ機能)の場合、機能に対応していないデジタルスチルカメラからの印字であっても機能を使用できる。これにより、通常、一旦ＰＣに画像データを転送しなければできなかった印刷機能をＰＣを介さずに利用することができる。
図８は本発明を搭載する機器において、ＰｉｃｔＢｒｉｄｇｅでの印刷時のフォーマット設定を変更する際に表示される設定画面の例を示す図である。図８（ａ）の設定画面３０は、符号３１にＰｉｃｔＢｒｉｄｇｅ印刷設定であることを示す内容が表示され、カッコ内に図１２で選択した内容が設定される。この例では、図１２の「登録なし端末」４６が設定されている例である。そして印字フォーマットを変更するために、許可／禁止項目の「許可／禁止ボタン」４０を押すと、画面３０が図８（ｂ）のように変化して例えば許可／禁止項目を「許可」４１に設定するのであれば、そこにカーソルを移動して「設定ボタン」４２を押すことにより設定される。
【００１１】
図９は本発明の第３の実施形態に係るフォーマット設定変更する際のフローチャートである。ＰｉｃｔＢｒｉｄｇｅ設定変更画面(図８)より、設定変更を行うメニューをユーザが入力することで（Ｓ２１）、変更端末を選択し（Ｓ２２）、さらにステープルを図８の画面から選択する（Ｓ２３）。それにより記憶装置より該当端末情報を収集して（Ｓ２４）、許可／禁止情報を出力情報に設定する（Ｓ２５）。出力情報より選択画面を表示して（Ｓ２６）、許可／禁止を選択、確定し（Ｓ２７）、選択された情報を機器固有情報として記憶装置に記憶する（Ｓ２８）。
このように本実施形態は、ＤＳＣ１とプリンタ２が接続された場合、ＰｉｃｔＢｒｉｄｇｅ規格を用いたＤＳＣ１からの印刷時に機器に対する利用制限を行うことができる。これによって、許可していないＤＳＣからの印字の制限を行うことができ、プリンタ２の不正利用を制限することができる。
図１０は印刷動作におけるフローチャートである。まず、ＤＳＣが接続されると（Ｓ３１）、記憶装置に設定されている端末情報と一致するか否かをチェックし（Ｓ３２）、一致しなければ登録なし端末を許可するか否かを検証し（Ｓ３３）、許可するのであれば登録なし端末の印刷設定を保持して（Ｓ３４）、ＤＳＣ画面より印刷指示して（Ｓ３５）、保持した印刷設定で印刷を実行する（Ｓ３６）。ステップＳ３２で端末情報と一致すると該当端末を許可するか否かを検証し（Ｓ３７）、許可するのであれば該当端末の印刷設定を保持して（Ｓ３９）、ＤＳＣ画面より印刷指示して（Ｓ３５）、保持した印刷設定で印刷を実行する（Ｓ３６）。また、ステップＳ３３で登録なし端末を許可しなければＤＳＣとの接続を切断する（Ｓ３８）。またステップＳ３７で該当端末を許可しなければＤＳＣとの接続を切断する（Ｓ３８）。
【００１２】
図１１はＤＳＣの機器情報を登録、変更する際のフローチャートである。ＰｉｃｔＢｒｉｄｇｅ設定変更の要求があると（Ｓ４１）、登録済み（登録情報含む）機器情報を記憶装置よりテンポラリに収集する（Ｓ４２）。次にＵＳＢホストボードにＤＳＣが接続されているか否かをチェックし（Ｓ４３）、接続されていれば、接続されているＤＳＣの機器情報をテンポラリに収集して（Ｓ４４）、接続中のＤＳＣ機器情報が記憶装置に設定されているかをチェックして（Ｓ４５）、設定されていなければテンポラリの情報に接続中のＤＳＣ機器情報を追加設定し（Ｓ４６）、図１２の機器情報選択画面を表示する（Ｓ４７）。尚、ステップＳ４３でＵＳＢホストボードにＤＳＣが接続されていない場合、ステップＳ４５で接続中のＤＳＣ機器情報が記憶装置に設定されていない場合は、ステップＳ４７に進む。
このように本実施形態は、予めＤＳＣ１の機器情報を記憶装置に記憶しておくことにより、ＰｉｃｔＢｒｉｄｇｅ規格を用いたＤＳＣ１からの印刷時に機器毎に印刷動作を変更することができる。これによって、ＤＳＣ１毎に異なった設定での印刷設定ができ、毎回設定を変更することなく各ＤＳＣ利用者の設定を利用することができる。
【図面の簡単な説明】
【００１３】
【図１】本発明を実施するために必要な画像データ印刷システムの構成図である。
【図２】プリンタ２のハードウェア構成図である。
【図３】本発明を実施するために必要なソフトウェア構成例を示す図である。
【図４】本発明を搭載する機器において、ＰｉｃｔＢｒｉｄｇｅでの印刷時のフォーマット設定を変更する際に表示される設定画面の例を示す図である。
【図５】本発明の第１の実施形態に係るフォーマット設定変更する際のフローチャートである。
【図６】本発明を搭載する機器において、ＰｉｃｔＢｒｉｄｇｅでの印刷時のフォーマット設定を変更する際に表示される設定画面の例を示す図である。
【図７】本発明の第２の実施形態に係るフォーマット設定変更する際のフローチャートである。
【図８】本発明を搭載する機器において、ＰｉｃｔＢｒｉｄｇｅでの印刷時のフォーマット設定を変更する際に表示される設定画面の例を示す図である。
【図９】本発明の第３の実施形態に係るフォーマット設定変更する際のフローチャートである。
【図１０】本発明の印刷動作におけるフローチャートである。
【図１１】ＤＳＣの機器情報を登録、変更する際のフローチャートである。
【図１２】機器情報選択画面を示す図である。
【符号の説明】
【００１４】
１  ＤＳＣ（デジタルスチルカメラ）、２  プリンタ（画像形成装置）、３  ＵＳＢインターフェース、１０  ＣＰＵ、１１  ＲＯＭ、１２  ＲＡＭ、１３  記憶装置、１４  ＬＡＮコントローラ、１５  オペポート、１６  入出力装置、１７  ＵＳＢホスト、１８  トランス、１００  画像データ印刷システム
【図１】
2006150914.tif 000003
【図２】
2006150914.tif 000004
【図３】
2006150914.tif 000005
【図４】
2006150914.tif 000006
【図５】
2006150914.tif 000007
【図６】
2006150914.tif 000008
【図７】
2006150914.tif 000009
【図８】
2006150914.tif 000010
【図９】
2006150914.tif 000011
【図１０】
2006150914.tif 000012
【図１１】
2006150914.tif 000013
【図１２】
2006150914.tif 000014